(57)【要約】【課題】  携帯電話の電源ＯＦＦが推奨されているエリアであっても使用者が意識的に携帯電話のモードを変更することが望ましい。そのようなエリアで使用者が携帯電話をＯＦＦにしていた場合に対価としてポイントを得られるシステムがあれば、使用者に意識的に電源をＯＦＦにさせることが可能になる。【解決手段】  本発明は、基地局と通信を行う第一の通信部と、改札機と通信を行う第二の通信部と、前記第二の通信部が前記改札機から取得した情報を記憶する記憶部と、  前記第一の通信部、前記第二の通信部、前記記憶部を制御する制御部と、を有する携帯端末装置において、前記第二の通信部は、携帯端末装置が電源ＯＦＦ又はマナーモードＯＮの状態にある場合にポイントを取得し、前記記憶部は、前記取得したポイントを記憶することを特徴とする。【選択図】  図１
2005196370.tif 000002
【特許請求の範囲】
【請求項１】
基地局と通信を行う第一の通信部と、
改札機と通信を行う第二の通信部と、
前記第二の通信部が前記改札機から取得した情報を記憶する記憶部と、
前記第一の通信部、前記第二の通信部、前記記憶部を制御する制御部と、
を有する携帯端末装置において、
前記第二の通信部は、携帯端末装置が電源ＯＦＦ又はマナーモードＯＮの状態にある場合にポイントを取得し、
前記記憶部は、前記取得したポイントを記憶することを特徴とする携帯端末装置。
【請求項２】
請求項１記載の携帯端末装置において、
前記第二の通信部が取得するポイントは、乗車区間、乗車時間または乗車料金により定まることを特徴とする携帯端末装置。
【請求項３】
請求項１記載の携帯端末装置において、
前記制御部は、特定の乗車区間においては、携帯端末装置の電源をＯＦＦし、又はマナーモードをＯＮすることを特徴とする携帯端末装置。
【請求項４】
請求項１記載の携帯端末装置において、
前記第二の通信部は、改札入場時から改札退場時までの間、前記携帯端末装置が電源ＯＦＦ又はマナーモードＯＮの状態にある場合にポイントを取得することを特徴とする携帯端末装置。
【請求項５】
非接触通信手段を備えるＩＣカードと、
前記ＩＣカードの装着手段と、
携帯電話通信網を使用した無線通信手段及び該ＩＣカードとの通信手段を備えた携帯端末と、
前記ＩＣカードとの非接触通信手段を備えた改札装置で構成されるシステムであって、
前記ＩＣカードには少なくとも該携帯端末の電源状態またはマナーモード状態を示す情報が格納されており、前記携帯端末が改札装置の入退場の間に、該端末を電源ＯＦＦ状態またはマナーモードＯＮ状態にしていた場合に、ポイントが付与されることを特徴とするポイント付与システム。
【請求項６】
非接触通信手段または、接触・非接触のデュアル通信手段を備えたＩＣカードを装着するＩＣカード装着手段と、
前記ＩＣカードと通信を行うＩＣカード通信手段と、
携帯端末の電源ＯＮ／ＯＦＦ又はマナーモードＯＮ／ＯＦＦ時に前記ＩＣカードに対し、電源ＯＮ／ＯＦＦ又はマナーモードＯＮ／ＯＦＦの状態フラグを書き込む携帯電話状態フラグ書き込み手段を備えたことを特徴とする携帯端末。
【請求項７】
非接触通信手段または、接触・非接触のデュアル通信手段を備えたＩＣカードであって、
前記ＩＣカードが装着される携帯端末本体の電源ＯＮ／ＯＦＦ又はマナーモードＯＮ／ＯＦＦの状態フラグを保持する携帯端末状態フラグ保持手段と、
ポイント付与判断用フラグを保持するポイントフラグ保持手段とを、備えたことを特徴とするＩＣカード。
【請求項８】
請求項７記載のＩＣカードにおいて、
付与されたポイント値を保持する、ポイント値保持手段を、備えたことを特徴とするＩＣカード。
【請求項９】
非接触通信によりＩＣカードと通信処理を行う、非接触ＩＣカード通信手段と、
前記ＩＣカードを装着した携帯端末の改札入場時に、該ＩＣカードが保持している携帯端末状態フラグを読み取る、携帯端末状態フラグ読み取り手段と、
前記携帯端末状態フラグの値に応じて、ポイント付与判断用フラグを前記ＩＣカードのポイントフラグ保持手段に書き込むポイントフラグ書き込み手段と、
前記携帯端末の改札出場時に、前記ＩＣカードにポイントフラグを読み取るポイントフラグ読み取り手段と、
該ポイントフラグに応じて、所定のポイントを付与するポイント付与手段とを、備えたことを特徴とする改札装置。
【請求項１０】
請求項９記載の改札装置において、
前記ポイント付与手段が、付与したポイントを、前記ＩＣカードのポイント値保持手段に書き込むことを、特徴とする改札装置。
【請求項１１】
請求項９記載の改札装置において、
前記ポイント付与手段が、付与したポイントを、改札装置または改札装置に接続された管理装置のポイント情報保持手段に書き込むことを特徴とする改札装置。
【請求項１２】
請求項５記載のポイント付与システムにおいて、
前記携帯端末は、非接触通信手段または、接触・非接触のデュアル通信手段を備えたＩＣカードを装着するＩＣカード装着手段と、
前記ＩＣカードと通信を行うＩＣカード通信手段と、携帯端末の電源ＯＮ／ＯＦＦ又はマナーモードＯＮ／ＯＦＦ時に前記ＩＣカードに対し電源ＯＮ／ＯＦＦ又はマナーモードＯＮ／ＯＦＦの状態フラグを書き込む携帯電話状態フラグ書き込み手段とを備え、
前記ＩＣカードは、非接触通信手段または、接触・非接触のデュアル通信手段を備えたＩＣカードであって、該ＩＣカードが装着される携帯端末本体の電源ＯＮ／ＯＦＦ又はマナーモードＯＮ／ＯＦＦの状態フラグを保持する携帯端末状態フラグ保持手段と、
ポイント付与判断用フラグを保持するポイントフラグ保持手段とを備え、
前記改札装置は、非接触通信によりＩＣカードと通信処理を行う、非接触ＩＣカード通信手段と、
前記ＩＣカードを装着した携帯端末の改札入場時に、該ＩＣカードが保持している携帯端末状態フラグを読み取る、携帯端末状態フラグ読み取り手段と、
前記携帯端末状態フラグの値に応じて、ポイント付与判断用フラグを前記ＩＣカードのポイントフラグ保持手段に書き込むポイントフラグ書き込み手段と、
前記携帯端末の改札出場時に、前記ＩＣカードのポイントフラグを読み取るポイントフラグ読み取り手段と、
該ポイントフラグに応じて、所定のポイントを付与するポイント付与手段を備えたことを特徴とするポイント付与システム。
【請求項１３】
請求項１２記載のポイント付与システムにおいて、前記付与されるポイントが、前記ＩＣカードのポイント値保持手段又は、前記改札装置または改札装置に接続された管理装置のポイント情報保持手段に保持されることを特徴とするポイント付与システム。
【発明の詳細な説明】
【技術分野】
【０００１】
本発明は、携帯端末装置、改札機及びポイント付与システムに関する。
【背景技術】
【０００２】
従来、携帯電話と改札機で非接触通信を行い乗車賃の決済をする技術（特許文献１）が公開されていた。このような技術が普及すると多くの人が携帯電話を公共の交通機関でも使用することが予想される。一方、車内では周囲への迷惑防止のため、携帯電話の電源をＯＦＦし、或いは着信音を鳴らさずに振動などで使用者に着信を知らせるマナーモードをＯＮにすることが推奨されている。このような場合にモードを変更する技術としては、例えば電波信号を用いて自動的かつ強制的に携帯電話のマナーモードをＯＮにする技術（特許文献２）が公開されていた。
【０００３】
【特許文献１】特開２００３−７７０１９号公報
【０００４】
【特許文献２】特開２００３−３２７４６号公報
【発明の開示】
【発明が解決しようとする課題】
【０００５】
しかしながら、上記特許文献記載の技術においては、使用者が意図しないところで電源がＯＦＦされたり、マナーモードがＯＮされるおそれがある。本来的には使用者の意思により電源をＯＦＦし、又はマナーモードをＯＮすることが望ましい。このため、使用者に対してポイントを与えることにより電源ＯＦＦ、マナーモードＯＮを促すことが望ましいと考えられる。
【０００６】
また、乗車区間、乗車時間、乗車料金などに応じて付与するポイント数を変え、乗車区間、乗車時間が長いほど、或いは乗車料金が高いほどより多くのポイントを与えることにより、使用者に対して長時間電源をＯＦＦし、マナーモードをＯＮすることを継続させるように促すことが望ましい。
【０００７】
また、携帯電話を定期券として使用するような場合に、当該定期券の区間では自動的に電源ＯＦＦ又はマナーモードＯＮとなるように使用者が設定することで、利用頻度の高い路線で確実に電源ＯＦＦ又はマナーモードＯＮとして周囲への迷惑を低減するとともに、ポイントを確実に取得できるようにすることが望ましい。
【０００８】
さらに、電源のＯＮ／ＯＦＦ、マナーモードのＯＮ／ＯＦＦは改札入場時又は乗車時に判断するのが適切であるが、改札入場時又は乗車時には電源をＯＦＦ又はマナーモードをＯＮしていても、乗車後に電源をＯＮ又はマナーモードをＯＦＦに変えられると意味がないため、このような場合にはポイントを付与しないようにすることが望ましい。
【０００９】
本願発明は、上記目的を解決し、使い勝手を向上できる携帯端末装置、改札機、ポイント付与システムを提供することを目的とする。
【課題を解決するための手段】
【００１０】
上記目的を達成するため、本発明は、基地局と通信を行う第一の通信部と、改札機と通信を行う第二の通信部と、前記第二の通信部が前記改札機から取得した情報を記憶する記憶部と、  前記第一の通信部、前記第二の通信部、前記記憶部を制御する制御部と、を有する携帯端末装置において、前記第二の通信部は、携帯端末装置が電源ＯＦＦ又はマナーモードＯＮの状態にある場合にポイントを取得し、前記記憶部は、前記取得したポイントを記憶することを特徴とする。
【発明の効果】
【００１１】
本発明によれば、使い勝手を向上できる携帯端末装置、改札機、ポイント付与システムを提供するが可能となる。
【発明を実施するための最良の形態】
【００１２】
以下、本発明による実施の形態について、図を参照して説明する。
【実施例１】
【００１３】
まず、図１から図７を用いて、携帯電話不使用ポイントサービスを実現する構成要素を説明する。
【００１４】
図１は本発明に係る携帯電話、ＩＣチップ、改札機を用いた携帯電話不使用ポイントサービスを実現する一般的なシステムの構成を示した図である。システムは、携帯端末１００、ＩＣチップ２００、入場用改札機３００、退場用改札機５００から構成される。携帯端末１００は使用者が保持する。ＩＣチップ２００は携帯端末１００に内蔵または挿入される。改札機３００は駅の入り口に設置される。改札機５００は出口に設置される。使用者は改札入場時に携帯端末１００を改札機３００の非接触アンテナ３０５にかざして通過し、改札退場時に携帯端末１００を改札機５００の非接触アンテナにかざして通過する。
【００１５】
ここで、ポイントに関する情報はＩＣチップ２００に格納されるため、格納できる情報量が従来の磁気カード等に比べて多い。また、外部から直接アクセスが困難であり、CPUによる認証処理も行われるためデータの改竄等に対する耐性が非常に強く、セキュリティにも優れる。さらに、OSを搭載することで、携帯電話の電番情報管理、携帯電話の電源管理、乗車賃の決済、ポイント管理等の複数のアプリケーションを扱うことも可能であり、使い勝手にも優れる。
【００１６】
図２は、携帯端末１００の主な内部構成を示した図である。携帯端末１００は制御部１０１、音声入出力部１０２、記憶部１０３、通信部１０４、アンテナ１０５、入力部１０６、表示部１０７、ＩＣチップＩ／Ｆ部１０８、非接触アンテナ１０９から構成されている。制御部１０１は記憶部１０３に格納されているプログラムやデータを元に各種判定や演算を行い、携帯電話の統括制御を行う。音声入出力部１０２は音声通話のためのマイク及びスピーカである。記憶部１０３は携帯端末１００の制御プログラムやデータ及び使用者の各種設定、ダウンロードしたデータやプログラムなどを保存する。通信部１０４はアンテナ１０５を通じて無線通信により携帯基地局と接続し、音声通信やデータ通信を行う。アンテナ１０５は電波送受信を行う。操作部１０６は各種操作を行うためのテンキーの入力を行う。表示部１０７は電話番号情報やインターネットのコンテンツ画面や、乗車券情報、ポイント情報などを表示する。ＩＣチップＩ／Ｆ部１０８はＩＣチップ２００と接触端子を通じてコマンドデータをやりとりすることにより通信を行うための接続部である。非接触アンテナ１０９は改札機３００及び改札機５００とＩＣチップ２００が無線通信でコマンドデータをやり取りすることにより通信を行うためのアンテナである。ＩＣチップ２００は乗車券アプリやポイントアプリが搭載されており、アンテナ１０９を通して非接触通信可能である。
【００１７】
図３はＩＣチップ２００の内部構成を示した図である。ＩＣチップ２００は、制御部２０１、ＲＡＭ部２０２、マスクＲＯＭ部２０３、ＥＥＰＲＯＭ部２０４、接触Ｉ／Ｆ部２０５、非接触アンテナＩ／Ｆ部２０６から構成されている。制御部２０１はＲＡＭ部２０２、マスクＲＯＭ部２０３、ＥＥＰＲＯＭ部２０４に格納されているプログラムやデータを元に各種判定や演算を行い、ＩＣチップの統括制御を行う。ＲＡＭ部２０２はプログラム処理を行う際に一時的に利用されるメモリである。マスクＲＯＭ部２０３はOSやアプリケーションを格納している。ＥＥＰＲＯＭ部２０４はデータ記憶領域で、携帯電話１００の電番情報や電源情報やポイント情報を格納している。接触Ｉ／Ｆ部２０５は携帯端末１００とＩＣチップＩ／Ｆ部１０８を通じてコマンドデータにより接触通信を行う。非接触アンテナＩ／Ｆ２０６部はＩＣチップＩ／Ｆ部１０８、非接触アンテナ１０９を通じてコマンドデータにより改札機３００及び５００と非接触通信を行う。
【００１８】
図４はＩＣチップ２００内のＥＥＰＲＯＭ部２０４内に格納されるデータフォーマットであり、電源フラグ４０１、ポイントフラグ４０２、ポイント４０３から構成されている。電源フラグ４０１は、携帯端末１００の電源ＯＮ及びＯＦＦを示す。ポイントフラグ４０２は、使用者が改札退場のときポイントを得られるか否かを示す。ポイント４０３は、使用者が改札入退場の間に携帯端末の電源をＯＮにしなかったことによって得られる値である。これらの値は、接触Ｉ／Ｆ部２０５またはアンテナＩ／Ｆ部２０６を通じて携帯端末１００、改札機３００及び改札機５００から送信されるコマンドデータによって設定される。電源フラグ４０１の値が０の場合、携帯端末１００の電源がＯＦＦであることを意味し、電源フラグ４０１の値が１の場合、携帯端末１００の電源がＯＮであることを意味する。ポイントフラグ４０２の値が０の場合、改札入退場の間に使用者が携帯端末１００の電源をＯＮにしたため、ポイントを得られない状態であることを意味する。ポイントフラグ４０２の値が１の場合、改札入退場の間に使用者が携帯端末１００の電源をＯＮにしなかったため、ポイントを得られる状態であることを意味する。ポイント４０３の値が０以上の場合は使用者が改札入退場の間に携帯端末１００の電源をＯＮしなかったことを意味する。
【００１９】
付与されるポイントは、乗車区間、乗車時間、乗車料金に応じて変更される。乗車区間、乗車時間が長く、或いは乗車料金が高い場合には、それだけ長い時間電源をＯＦＦし、マナーモードをＯＮしていたというころであり、これに応じたポイント数を与えることが適切と考えられるからである。この際、通常の路線と特急の路線とで付与するポイントを変えたりすることも可能である。これにより、使用者に対して長時間電源をＯＦＦし、マナーモードをＯＮすることを継続させるように促すことが可能となる。
【００２０】
なお、乗車区間、乗車料金については改札入場時や改札退場時に改札機から情報を入手したり、携帯端末の通信部を用いてサーバから情報を入手することが可能である。また、乗車時間については携帯端末の時計機能、改札機の時計機能により情報を入手することが可能である。
【００２１】
また、携帯電話を定期券として使用するような場合に、当該定期券の区間では自動的に電源ＯＦＦ又はマナーモードＯＮとなるように使用者が設定することも可能である。また、あらかじめ特定の区間を指定しておき、当該区間では自動的に電源ＯＦＦ又はマナーモードＯＮとなるように使用者が設定することも可能である。この場合、記憶部１０３又はＩＣチップ２００にその情報を記憶しておき、当該区間の改札機に入場したときは、制御部１０１が電源ＯＦＦ又はマナーモードＯＮとなるように制御する。これにより、利用頻度の高い路線で確実に電源ＯＦＦ又はマナーモードＯＮとして周囲への迷惑を低減するとともに、ポイントを稼ぐことができるようにすることが望ましい。
【００２２】
図５は改札機３００および改札機５００の内部構成を示した図である。改札機３００及び改札機５００は、制御部３０１、表示部３０２、記憶部３０３、非接触ＩＣチップ通信部３０４、非接触アンテナ３０５、ゲート制御部３０６、ゲート３０７から構成される。制御部３０１は記憶部３０３に格納されているプログラムやデータをもとに各種判定や演算を行い、改札機の統括制御を行う。表示部３０２は、決済する乗車賃や、携帯端末内のＩＣチップに格納されているＳＦバリューの残額情報などを表示する。記憶部３０３は改札機３００の制御プログラムやデータ及び改札機３００で処理したＩＣチップのＩＤやＩＣチップ内情報、付与したポイント情報などを取得し保持しておく。非接触ＩＣチップ通信部３０４は、非接触アンテナ３０５を用いてコマンドデータにより携帯電話に搭載したＩＣチップと通信を行う。非接触アンテナ３０５は改札機３００及び６００とＩＣチップ２００が無線通信でコマンドデータをやり取りすることにより通信を行うためのアンテナである。ゲート制御部３０６は乗車賃決済時に制御部３０１からの指示によりゲートの開閉を制御する。ゲート３０７は開閉可能な板で構成され、人の通過を制限する。なお、本図では説明していないが、改札機がネットワーク通信部を備えて、別のサーバの管理装置と接続することで、改札通過のログ情報を管理装置に保存したり、逆に管理装置から必要な情報を改札機に送信することも可能である。
【００２３】
図６は携帯端末１００とＩＣチップ２００間のコマンドデータフォーマットと、各コマンドコードの値とセットされるデータの値及びそれらの意味を示す一覧表からなる。コマンドデータはコマンドコード６００とデータ６０１により構成される。コマンドコード６００は、コマンド種別を認識するためのコマンドコードがセットされる部位であり、データ６０１は、各コマンドコードに応じて設定される値がセットされる部位である。コマンドデータ６０２は、携帯端末１００からＩＣチップ２００に送信され、電源フラグ４０１の値をセットするためのものである。コマンドコードは１５０１であり、データには携帯端末１００の電源状態ＯＮまたはＯＦＦを示す０または１がセットされる。コマンドデータ６０３は、携帯端末１００からＩＣチップ２００に送信され、ポイントフラグ４０２の値をセットするためのものである。コマンドコードは１５０２であり、データには使用者がポイントを得られるか否かを示す０または１がセットされる。コマンドデータ６０４は、ＩＣチップ２００から携帯端末１００へ送信され、コマンドデータ６０２、コマンドデータ６０３のレスポンスである。コマンドコードは１６０１であり、データには携帯端末１００からＩＣチップ２００へ送信されたコマンドデータが正しく実行されたか否かを示す０または１がセットされる。
【００２４】
図７は改札機３００、５００とＩＣチップ２００間のコマンドデータフォーマットと、各コマンドコードの値とセットされるデータの値及びそれらの意味を示す一覧表からなる。コマンドデータは、コマンドコード７００とデータ７０１により構成される。コマンドコード７００は、コマンド種別を認識するためのコマンドコードがセットされる部位であり、データ７０１は各コマンドコードに応じて設定される値がセットされる部位である。コマンドデータ７０２は、改札機３００からＩＣチップ２００に送信され、電源フラグ４０１の値を読み取るためのものである。コマンドコードは１７０１であり、データには値がセットされない。コマンドデータ７０３は改札機３００からＩＣチップ２００へ送信され、ポイントフラグ４０２の値をセットするためのものである。コマンドコードは１７０２であり、データには使用者がポイントを得られるか否かを示す０または１がセットされる。コマンドデータ７０４は改札機５００からＩＣチップ２００に送信され、ポイントフラグ４０２の値を読み取るためのものである。コマンドコードは１７０３であり、データには値がセットされない。コマンドデータ７０５は改札機５００からＩＣチップ２００へ送信され、ポイント４０３の値をセットするためのものである。コマンドコードは１７０４であり、データには発行されるポイント値がセットされる。コマンドデータ７０６はＩＣチップ２００から改札機３００及び改札機５００へ送信され、コマンドデータ７０３、コマンドデータ７０５のレスポンスである。コマンドコードは１８０１であり、データには改札機３００及び６００からＩＣチップ２００へ送信されたコマンドデータが正しく実行されたか否かを示す０または１がセットされる。コマンドデータ７０７はＩＣチップ２００から改札機３００へ送信され、コマンドデータ７０２のレスポンスである。コマンドコードは１８０２であり、データには携帯端末１００の電源状態ＯＮまたはＯＦＦを示す０または１がセットされる。コマンドデータ７０８はＩＣチップ２００から改札機５００へ送信され、コマンドデータ７０４のレスポンスである。コマンドコードは１８０３であり、データには使用者がポイントを得られるか否かを示す０または１がセットされる。
【００２５】
次に図８から図１５を用いて、携帯電話不使用ポイントがどのように付与されるかの手順を説明する。
【００２６】
図８は使用者が携帯端末１００の電源をＯＮまたはＯＦＦにしたときに、ＩＣチップ２００内のＥＥＰＲＯＭ部２０４内に格納されている電源フラグ４０１の値がどのようにセットされるかを説明する図である。携帯端末１００は電源をＯＮにするとき、起動処理の中でＩＣチップ２００にＩＣチップＩ／Ｆ部１０８を通じてコマンドデータ６０２を送信し、ＩＣチップ２００内のＥＥＰＲＯＭ部２０４内の電源フラグ４０１の値を１にセットする。また、携帯端末１００は、電源をＯＦＦにするとき、終了処理の中でＩＣチップ２００にＩＣチップＩ／Ｆ部１０８を通じてコマンドデータ６０２を送信し、ＩＣチップ２００内のＥＥＰＲＯＭ部２０４内の電源フラグ４０１の値を０にセットする。なお、ＩＣチップ２００にアクセスできなかった場合は、携帯電話の電源がＯＦＦにされたり、通話・通信機能が使えないようにしておいてもよい。
【００２７】
図９は、使用者が携帯端末１００の電源をＯＮまたはＯＦＦにしたときに、携帯端末１００がＩＣチップ２００内のＥＥＰＲＯＭ部２０４内の電源フラグ４０１の値をどのような手順でセットするかを示すプログラム部分の処理フローである。ステップS９００で携帯端末１００は、使用者の入力部１０６の電源ボタン部からの入力を受け付けて、処理を開始する。ステップS９０１で、制御部１０１は記憶部１０３に格納されている携帯端末１００の電源状態を示すデータから、使用者からの入力が携帯端末１００の電源ＯＮ要求なのか電源ＯＦＦ要求なのかを判断する。使用者からの要求が電源ＯＮであった場合、ステップS９０２に進む。ステップS９０２で、携帯端末１００はＩＣチップＩ／Ｆ部１０８を通じてＩＣチップ２００にコマンドデータ６０２を送信し、ＩＣチップ２００内のＥＥＰＲＯＭ部２０４内の電源フラグ４０１の値を１にセットする。また、ステップS９０１で使用者からの要求が電源ＯＦＦであった場合、ステップS９０３に進む。ステップS９０３で携帯端末１００は、ＩＣチップＩ／Ｆ部１０８を通じてＩＣチップ２００にコマンドデータ６０２を発信しＩＣチップ２００内のＥＥＰＲＯＭ部２０４内の電源フラグ４０１の値を０にセットする。
【００２８】
図１０は使用者が改札を入場する際の、携帯端末１００、ＩＣチップ２００、改札機３００の各装置の動作を説明するための図である。使用者は改札を入場するとき、携帯端末１００を改札機３００の非接触アンテナ部３０５にかざして初乗り料金の精算を行う。その際、改札機３００はＩＣチップ２００と非接触通信を行い、コマンドデータ７０２を送信し、レスポンス用のコマンドデータ７０７を用いてＩＣチップ２００内の電源フラグ４０１の値を読み取る。電源フラグ４０１の値が０であった場合、改札機３００はＩＣチップ２００との通信を終了し、Ｐｏｌｌｉｎｇ応答受信状態に戻る。電源フラグ４０１の値が１であった場合、改札機３００はコマンドデータ７０３を用いてＩＣチップ２００のポイントフラグ４０２の値を１にし、ＩＣチップ２００との通信を終了し、Ｐｏｌｌｉｎｇ応答受信状態に戻る。
【００２９】
図１１は使用者が改札を入場するときに、改札機３００がどのような手順でＩＣチップ２００内の電源フラグ４０１を読み取り、ポイントフラグ４０２の値をセットするかを示すプログラム部分の処理フローである。ステップS１１００が処理のスタート部とする。ステップS１１０１で改札機３００は、非接触ＩＣチップ通信部３０４から非接触アンテナ３０５を通じて定期的にＰｏｌｌｉｎｇコマンドを送信し、ＩＣチップ２００からのＰｏｌｌｉｎｇ応答を待つ。ＩＣチップ２００からのＰｏｌｌｉｎｇ応答を、非接触アンテナ３０５で受信すると、改札機３００は携帯電話１００の通過を認識し、ステップS１１０２に進む。ステップS１１０２では、携帯電話１００内のＩＣチップ２００内のＥＥＰＲＯＭ部２０４内より初乗り料金の精算を行い、ステップS１１０３に進む。ステップS１１０３では改札機３００は非接触ＩＣチップ通信部３０４から非接触アンテナ３０５を通じてコマンドデータ７０２を発信し、レスポンス用のコマンドデータ７０７によりＩＣチップ２００内のＥＥＰＲＯＭ部２０４内の電源フラグ４０１を読み、ステップS１１０４に進む。ステップS１１０４ではＥＥＰＲＯＭ部２０４内の電源フラグ４０１の値が１であった場合は、ステップS１１０６に進み、ＩＣチップ２００との通信を終了し、ステップS１１０１に戻り、Ｐｏｌｌｉｎｇ応答受信状態に戻る。電源フラグ４０１の値が０だった場合は、S１１０５に進む。S１１０５で改札機３００は非接触ＩＣチップ通信部３０４から非接触アンテナ３０５を通じてコマンドデータ７０３を発信しＩＣチップ２００内のＥＥＰＲＯＭ部２０４内のポイントフラグ４０２の値を１にセットする。
【００３０】
図１２は使用者が、改札入退場の間に携帯端末１００の電源をＯＮにした場合、携帯端末１００がどのようにしてＩＣチップ２００内のポイントフラグ４０２の値をクリアするかを説明するための図である。使用者が電源ＯＦＦで改札に入場すると、改札機３００はＩＣチップ２００内のポイントフラグ４０２の値を１にセットするが、使用者が改札入退場の間に電源をＯＮにすると、携帯端末１００はＩＣチップＩ／Ｆ部１０８を通じてＩＣチップ２００にコマンドデータ６０２を送信し、ＩＣチップ２００内の電源フラグ４０１の値を１にセットし、次にコマンドデータ６０３を送信しポイントフラグ４０２の値を０にセットする。
【００３１】
このように乗車中に電源をＯＮしたり、マン−モードをＯＦＦしたりした場合にはポイントを付与しないこととして、使用者に対して電源のＯＦＦ、マナーモードのＯＮの継続を促すことが可能となる。
【００３２】
図１３は使用者が改札入退場の間に携帯端末１００の電源をＯＮにしたときに、ＩＣチップ２００内のＥＥＰＲＯＭ部２０４内のポイントフラグ４０２の値をどのような手順でセットするかを示すプログラム部分の処理フローである。ステップS１３００で使用者の入力部１０６の電源ボタン部からの入力を受け付けて、処理を開始する。ステップS１３０１で、制御部１０１は記憶部１０３に格納されている携帯端末１００の電源状態を示すデータから、使用者からの入力が携帯端末１００の電源ＯＮ要求なのか電源ＯＦＦ要求なのかを判断する。使用者からの要求が電源ＯＮであった場合、ステップS１３０２に進む。ステップS１３０２で、携帯端末１００はＩＣチップＩ／Ｆ部１０８を通じてＩＣチップ２００にコマンドデータ６０３を送信し、ＩＣチップ２００内のＥＥＰＲＯＭ部２０４内のポイントフラグ４０２の値を０にセットし、起動処理を行う。
【００３３】
図１４は使用者が改札を退場する際の、携帯端末１００、ＩＣチップ２００、改札機５００の各装置の動作を説明するための図である。改札機５００は非接触ＩＣチップ通信部３０４から非接触アンテナ３０５を通じてコマンドデータ７０４を送信しレスポンス用のコマンドデータ７０８により携帯端末１００内のＩＣチップ２００内のＥＥＰＲＯＭ部２０４のポイントフラグ４０２を読み取る。ポイントフラグ４０２の値が０だった場合、改札機５００は何もしない。ポイントフラグ４０２の値が１だった場合、改札機５００は非接触ＩＣチップ通信部３０４から非接触アンテナ３０５を通じてコマンドデータ７０５を送信しＩＣチップ２００内のＥＥＰＲＯＭ部２０４内のポイント４０３の値を加算し、コマンドデータ７０３を送信しＩＣチップ２００内のポイントフラグ４０２の値を０にセットする。
【００３４】
図１５は使用者が改札を退場するときに、改札機５００がどのような手順でＩＣチップ２００内のポイントフラグ４０２を読み取り、ポイント４０３の値をセットするかを示すプログラム処理部分のフローである。ステップS１５００が処理のスタート部分である。ステップS１５０１で改札機５００は、非接触ＩＣチップ通信部３０４から非接触アンテナ３０５を通じて定期的にＰｏｌｌｉｎｇコマンドを送信し、ＩＣチップ２００からのＰｏｌｌｉｎｇ応答を待つ。改札機５００はＩＣチップ２００からのＰｏｌｌｉｎｇ応答を、非接触アンテナ３０５を通じて携帯端末１００の通過を認識し、ステップS１５０２に進む。ステップS１５０２では、携帯端末１００内のＩＣチップ２００内のＥＥＰＲＯＭ部２０４内より乗車賃の初乗り料金分の精算を行い、ステップS１５０３に進む。ステップS１５０３で改札機５００は非接触ＩＣチップ通信部３０４から非接触アンテナ３０５を通じてコマンドデータ７０４を発信し、レスポンス用のコマンドデータ７０８によりＩＣチップ２００内のＥＥＰＲＯＭ部２０４内のポイントフラグ４０２を読み、ステップS１５０４に進む。ステップS１５０４ではＩＣチップ２００のＥＥＰＲＯＭ部２０４内のポイントフラグ４０２の値が０であった場合、ステップS１５０７に進み処理を終了する。ポイントフラグ４０２の値が１であった場合、ステップS１５０５に進む。ステップS１５０５で改札機５００の制御部３０１は非接触ＩＣチップ通信部３０４から非接触アンテナ３０５を通じてコマンドデータ７０５を発信しＩＣチップ２００内のＥＥＰＲＯＭ部２０４内のポイント４０３の値を加算して、ステップS１５０６に進む。ステップS１５０６で改札機５００は非接触ＩＣチップ通信部３０４から非接触アンテナ３０５を通じてコマンドデータ７０３を送信し、ＩＣチップ２００内のＥＥＰＲＯＭ部２０４内のポイントフラグ４０２の値を０にセットする。なお、ポイント値を改札機と接続された管理装置でも管理する場合には、ステップS１５０６後管理装置にポイント情報を送信すればよい。
【００３５】
図１６は、ある駅からある駅までの改札入退場間に携帯端末の電源をＯＮしなかった場合に、携帯端末１００が改札機５００を通過し、ポイントを得た時の画面例の図である。携帯電話１００が改札機５００を通過するとき、改札機５００は非接触ＩＣチップ通信部３０４から非接触アンテナ３０５を通じてコマンドデータ７０５を送信し、ＩＣチップ２００内のＥＥＰＲＯＭ部２０４のポイント４０３の値を加算する。携帯端末１００はＩＣチップＩ／Ｆ部からそれを認識し、表示部１０７に携帯画面１６００のような画面を表示しても良いし、使用者からの入力を、入力部１０６より受け付けて、意識的に表示させてもよい。
【実施例２】
【００３６】
実施例１においては、携帯電話の電源をＯＦＦにすることが推奨されたエリアで、携帯電話の使用者が携帯電話をＯＦＦしていた場合に、対価としてポイントが得られるシステムを説明してきたが、マナーモードをＯＮにすることを推奨しているエリアで、使用者が携帯電話のマナーモードをＯＮにしていた場合、対価としてポイントが得られるシステムについてもほぼ同じ構成と手順で実現できる。まず、構成についてであるが、電源のＯＮ／ＯＦＦに関連するデータ、フラグをマナーモードのＯＦＦ／ＯＮに置き換えればよい。図４はＩＣチップ２００に格納されるデータフォーマットを示す図であるが、携帯端末１００の電源ＯＮ及びＯＦＦ状態を示す電源フラグ４０１を、携帯端末１００がマナーモードかどうかを示すマナーフラグに置き換えればよい。図６は携帯端末１００とＩＣチップ２００間でやり取りされるコマンドデータを示す一覧表であるが、それぞれ電源フラグ値をマナーフラグ値に置き換えればよい。また、図８は、使用者が携帯端末１００の電源をＯＮまたはＯＦＦにするときの動作を示す図であるが、電源ＯＮ・電源ＯＦＦは、マナーモードＯＦＦ／ＯＮに、電源フラグ４０１はマナーフラグにそれぞれ置き換え、マナーモードＯＮ時にマナーフラグの値を０に設定し、マナーモードＯＦＦ時にマナーフラグの値を１に設定すればよい。図９は、携帯端末１００がＩＣチップ２００内のフラグをどのような手順でセットするかを示すプログラム部分の処理フローであるが、ステップS９０１において、マナーモードＯＮ／ＯＦＦボタン押下時の要求受付を行い、それが、マナーモードをＯＦＦする要求であった場合はステップS９０２へ進み、マナーフラグの値を１にセットすればよい。ステップS９０１でのマナーモードＯＮ／ＯＦＦボタン押下時の要求がマナーモードをＯＮにする要求であった場合はステップS９０３へ進み、マナーフラグの値を０にセットすればよい。図１１は使用者が改札を入場するとき、改札機３００がどのようにＩＣチップ２００内のフラグを読み取り、ポイントフラグ４０２の値をセットするかを示すプログラム部分の処理フローであるが、ステップS１１０３で、改札機３００はＩＣチップ２００内のマナーフラグを読み取り、ステップS１１０４に進めばよい。ステップS１１０４で、マナーフラグの値が１であった場合はステップS１１０６に進み、ＩＣチップ２００との通信を終了すればよい。ステップS１１０４で、マナーフラグの値が０で合った場合はステップS１１０５に進み、ＩＣチップ２００内のポイントフラグ４０２の値を１にセットすればよい。図１２は、使用者が改札入退場の間に携帯端末１００のモードを変更した場合の動作を説明する図である。携帯端末１００の電源ＯＮを、携帯端末１００のマナーモードのＯＦＦに置き換えればよい。改札機３００により、ポイントフラグをＯＮにされた携帯端末１００は、マナーモードＯＦＦ時に、マナーフラグをＯＮにし、ポイントフラグ４０２をＯＦＦにすればよい。図１３は、使用者が改札入退場の間に携帯端末１００のモードを変更した場合、どのようにしてＩＣチップ２００内のフラグの値をセットするかを示すプログラム部分の処理フローであるが、ステップS１３０１で、マナーモードＯＮ／ＯＦＦ���タン押下時の要求を検出し、マナーモードＯＦＦの場合はステップS１３０２に進めばよい。ステップS１３０２で、携帯端末１００はＩＣチップ２００内のポイントフラグ４０２の値を０にセットすればよい。以上のような構成と手順により、マナーモードをＯＮにすることを推奨しているエリアで、使用者が携帯電話のマナーモードをＯＮにしていた場合、対価としてポイントが得られるシステムについても同様に実現できる。
【００３７】
以上のように本発明によれば、携帯電話内に接触・非接触通信可能なＩＣチップを搭載し、携帯電話の電源ＯＮ／ＯＦＦ状態またはマナーモードのＯＦＦ／ＯＮ状態と、使用者がポイントを得られることを判断するフラグをＩＣチップに保存し、改札入場時と退場時に電源ＯＮ／ＯＦＦ状態またはマナーモードのＯＦＦ／ＯＮ状態とポイントが得られることを判断するフラグを確認し、改札入退場の間に携帯電話の電源をＯＮまたはマナーモードをＯＦＦにしなかったことが確認できた場合に、使用者は携帯電話の電源をＯＦＦにすることまたはマナーモードをＯＮにすることが推奨されるエリアで携帯電話の電源をＯＮまたはマナーモードをＯＦＦにしなかったことに対する対価としてポイントが得られる。また、本システムではポイントを付与することで、携帯電話の電源をＯＦＦにすることまたはマナーモードをＯＮにすることが推奨されるエリアで、使用者が携帯電話の電源を意識的にＯＦＦしたり、マナーモードをＯＮにするようになる効果がある。
【００３８】
なお、以上は改札機にポイント付与のための機能を持たせ、改札入場時、改札退場時にポイント付与の処理を行う流れで説明したが、電車の車両自体にポイント付与機能を持たせた装置を設置することで、乗車時、降車時にポイント付与のための処理を行うようにすることも可能である。これにより、使用者はホームその他の駅構内で電車を待っている間に携帯端末を使用することが可能となり、使い勝手をより向上させることが可能となる。
【図面の簡単な説明】
【００３９】
【図１】本発明の実施例を示す、携帯端末とＩＣチップと改札機のシステム構成図。
【図２】本発明の実施例を示す、携帯端末の内部構成の例を示す図。
【図３】本発明の実施例を示す、ＩＣチップの内部構成の例を示す図。
【図４】本発明の実施例を示す、ＩＣチップ内のデータフォーマットを示す図。
【図５】本発明の実施例を示す、改札機の内部構成の例を示す図。
【図６】本発明の実施例を示す、携帯端末とＩＣチップ間のコマンドデータフォーマットを示す図。
【図７】本発明の実施例を示す、改札機とＩＣチップ間のコマンドデータフォーマットを示す図。
【図８】本発明の実施例を示す、携帯端末の電源ＯＮ、ＯＦＦ時の動作の例を示す図。
【図９】本発明の実施例を示す、携帯端末の電源ＯＮ、ＯＦＦ時のプログラム部分の処理フロー図。
【図１０】本発明の実施例を示す、携帯端末が改札入場する時の各装置の動作の例を示す図。
【図１１】本発明の実施例を示す、携帯端末が改札入場する時のプログラム部分の処理フロー図。
【図１２】本発明の実施例を示す、携帯端末の電源ＯＮ時の動作の例を示す図。
【図１３】本発明の実施例を示す、携帯端末の電源ＯＮ時のプログラム部分の処理フロー図。
【図１４】本発明の実施例を示す、携帯端末が改札退場する時の各装置の動作の例を示す図。
【図１５】本発明の実施例を示す、携帯端末が改札退場する時のプログラム部分の処理フロー図。
【図１６】本発明の実施例を示す、携帯端末のポイント受け取り時の画面の概略図。
【符号の説明】
【００４０】
１００・・・携帯端末、１０１・・・制御部、１０２・・・音声入出力部、１０３・・・記憶部、１０４・・・通信部、１０５・・・アンテナ、１０６・・・入力部、１０７・・・表示部、１０８・・・ＩＣチップＩ／Ｆ部、１０９・・・非接触アンテナ、２００・・・ＩＣチップ、２０１・・・制御部、２０２・・・ＲＡＭ部、２０３・・・マスクＲＯＭ部、２０４・・・ＥＥＰＲＯＭ部、２０５・・・接触Ｉ／Ｆ部、２０６・・・非接触アンテナＩ／Ｆ部、３００・・・改札機（入場時）、３０１・・・制御部、３０２・・・表示部、３０３・・・記憶部、３０４・・・非接触ＩＣチップ通信部、３０５・・・非接触アンテナ、３０６・・・ゲート制御部、３０７・・・ゲート、４０１・・・電源フラグ、４０２・・・ポイントフラグ、４０３・・・ポイント、５００・・・改札機（退場時）、６００・・・コマンドコード、６０１・・・データ、６０２・・・コマンドデータ、６０３・・・コマンドデータ、６０４・・・コマンドデータ、７００・・・コマンドコード、７０１・・・データ、７０２・・・コマンドデータ、７０３・・・コマンドデータ、７０４・・・コマンドデータ、７０５・・・コマンドデータ、７０６・・・コマンドデータ、７０７・・・コマンドデータ、７０８・・・コマンドデータ、１６００・・・携帯画面。
【図１】
2005196370.tif 000003
【図２】
2005196370.tif 000004
【図３】
2005196370.tif 000005
【図４】
2005196370.tif 000006
【図５】
2005196370.tif 000007
【図６】
2005196370.tif 000008
【図７】
2005196370.tif 000009
【図８】
2005196370.tif 000010
【図９】
2005196370.tif 000011
【図１０】
2005196370.tif 000012
【図１１】
2005196370.tif 000013
【図１２】
2005196370.tif 000014
【図１３】
2005196370.tif 000015
【図１４】
2005196370.tif 000016
【図１５】
2005196370.tif 000017
【図１６】
2005196370.tif 000018